【手続補正書】
【提出日】平成26年6月25日(2014.6.25)
【手続補正１】
【補正対象書類名】明細書
【補正対象項目名】００５１
【補正方法】変更
【補正の内容】
【００５１】
この開示の目的のために、本明細書では、本発明の実施形態の特定の態様、利点及び新しい特徴が述べられる。本発明の任意の特定の実施形態により必ずしもそのような利点が全て達成できなくてもよいことを理解されたい。したがって、例えば、本発明が、本明細書で教示されるような１つの利点又は１群の利点を、本明細書で教示又は提案され得る他の利点を必ずしも達成することなく達成するようなやり方で具体化又は実行され得ることを、当業者は理解するであろう。
本発明はまた、以下の項目１〜２１の内容を包含する。
（１）
ユーザによって装着されるように構成された本体と、
前記本体を締め付け及び緩めるように構成されたレーシングシステムと、
を含む、医療ブレースであって、前記レーシングシステムが、
第１の軸のまわりを回転して前記レーシングシステムの第１の部分を締め付けるように構成された第１のリールと、
前記第１の軸と異なる第２の軸のまわりに回転して前記レーシングシステムの第２の部分を締め付けるように構成された第２のリールと、
前記第１のリール及び前記第２のリールの両方を収容するように構成されたハウジング部分と、
を含む、医療ブレース。
（２）
前記ハウジング部分が、実質的に剛性であり、前記医療ブレースに実質的に剛性の支持を提供するように構成された、項目１に記載の医療ブレース。
（３）
前記医療ブレースが、前記ハウジング部分以外の剛性支持部材を含まない、項目２に記載の医療ブレース。
（４）
前記第２のリールが、前記第１のリールに隣接して配置された、項目１に記載の医療ブレース。
（５）
前記医療ブレースが、リストブレースである、項目１に記載の医療ブレース。
（６）
前記医療ブレースが、アンクルブレースである、項目１に記載の医療ブレース。
（７）
前記レーシングシステムが、第２のハウジング部分に取り付けられた複数のレースガイドを更に含む、項目１に記載の医療ブレース。
（８）
前記第２のハウジング部分が、実質的に剛性であり、前記医療ブレースに実質的に剛性の支持を提供するように構成された、項目７に記載の医療ブレース。
（９）
前記第１のリール及び第２のリールを収容する前記ハウジング部分が、実質的に剛性であり、前記医療ブレースに実質的に剛性の支持を提供するように構成され、前記医療ブレースが、前記ハウジング部分及び前記第２のハウジング部分以外の剛性支持部材を含まない、項目８に記載の医療ブレース。
（１０）
前記医療ブレースが、前記レーシングシステムを締め付けることによって引き合うように構成された第１の側部と第２の側部とを含み、前記第１のリール及び第２のリールが、前記医療ブレースの前記第１の側部に配置され、前記第２のハウジング部分に取り付けられた前記複数のレースガイドが、前記医療ブレースの前記第２の側部に配置された、項目７に記載の医療ブレース。
（１１）
前記医療ブレースが、上側層を含み、前記第１のリール及び第２のリールが、前記上側層の上に配置され、前記ハウジング部分が、前記上側層の下に配置された、項目１に記載の医療ブレース。
（１２）
前記上側層が、第１の孔及び第２の孔を含み、前記第１のリールが、前記第１の孔を通って延在し、前記第２のリールが、前記第２の孔を通って延在する、項目１１に記載の医療ブレース。
（１３）
前記第１の軸と前記第２の軸とが、実質的に平行である、項目１に記載の医療ブレース。
（１４）
ユーザによって装着されるように構成された本体と、
前記本体を締め付け及び緩めるように構成されたレーシングシステムと、
を含む、医療ブレースであって、前記レーシングシステムが、
レースと、
前記レース用のレース経路を提供するように構成された複数のレースガイドであって、前記複数のレースガイドの第１のガイドが、第１の開口部、第２の開口部、及び前記第１の開口部と前記第２の開口部との間に延在するレースチャネルを含み、前記複数のレースガイドの第２のガイドが、第１の開口部、第２の開口部、及び前記第１の開口部と前記第２の開口部との間に延在するレースチャネルを含み、前記第１のガイドの前記第２の開口部と前記第２のガイドの前記第１の開口部が、前記第１のガイドの前記第１の開口部と前記第２のガイドの前記第２の開口部との間に配置された、複数のレースガイドと、
前記複数のレースガイドを支持する一体ハウジング部分と、
を含む、医療ブレース。
（１５）
前記ハウジング部分が、実質的に剛性であり、前記医療ブレースに実質的に剛性の支持を提供するように構成された、項目１４に記載の医療ブレース。
（１６）
前記医療ブレースが、前記ハウジング部分以外の剛性支持部材を含まない、項目１５に記載の医療ブレース。
（１７）
前記医療ブレースが、前記レーシングシステムを締め付けることによって引き合うように構成された第１の側部及び第２の側部を有し、前記一体ハウジング部分によって支持された前記複数のレースガイドが、前記医療ブレースの前記第１の側部に配置され、追加のレースガイドが、前記医療ブレースの前記第１の側部に配置されない、項目１４に記載の医療ブレース。
（１８）
前記一体ハウジング部分によって支持された前記複数のレースガイドが、前記一体ハウジング部分の前記レースガイド間に延在する部分によって、互いに離間された、項目１４に記載の医療ブレース。
（１９）
前記一体ハウジング部分によって支持された前記複数のレースガイドが、前記医療ブレースの側部に沿って略直線状に配列された、項目１４に記載の医療ブレース。
（２０）
前記医療ブレースが、上側層を含み、前記複数のレースガイドが、前記上側層の上に配置され、前記一体ハウジング部分が、前記上側層の下に配置された、項目１４に記載の医療ブレース。
（２１）
前記上側層が、前記複数のレースガイドに対応する複数の孔を含み、前記レースガイドが、前記上側層の前記孔を通って延在する、項目１５に記載の医療ブレース。
【手続補正２】
【補正対象書類名】特許請求の範囲
【補正対象項目名】全文
【補正方法】変更
【補正の内容】
【特許請求の範囲】
【請求項１】
ユーザによって装着されるように構成された本体と、
前記本体を締め付け及び緩めるように構成されたレーシングシステムと、
を含む、医療ブレースであって、前記レーシングシステムが、
第１の軸のまわりを回転して前記レーシングシステムの第１の部分を締め付けるように構成された第１のリールと、
前記第１の軸と異なる第２の軸のまわりに回転して前記レーシングシステムの第２の部分を締め付けるように構成された第２のリールと、
前記第１のリール及び前記第２のリールの両方を収容及び接続するように構成された第１のハウジング部分と、
を含み、
前記ユーザーの体の一部の動きを制限するように構成された医療ブレース。
【請求項２】
前記レーシングシステムが、レースと、
前記レース用のレース経路を提供するように構成された複数のレースガイドであって、前記複数のレースガイドの第１のガイドが、第１の開口部、第２の開口部、及び前記第１の開口部と前記第２の開口部との間に延在するレースチャネルを含み、前記複数のレースガイドの第２のガイドが、第１の開口部、第２の開口部、及び前記第１の開口部と前記第２の開口部との間に延在するレースチャネルを含み、前記第１のガイドの前記第２の開口部と前記第２のガイドの前記第１の開口部が、前記第１のガイドの前記第１の開口部と前記第２のガイドの前記第２の開口部との間に配置された、複数のレースガイドと、
前記複数のレースガイドを支持する第２の一体ハウジング部分と
を更に含む、請求項１に記載の医療ブレース。
【請求項３】
前記第１のリール及び第２のリールを収容する前記ハウジング部分が、実質的に剛性であり、前記医療ブレースに実質的に剛性の支持を提供するように構成され、前記医療ブレースが、前記第１のハウジング部分及び前記第２のハウジング部分以外の剛性支持部材を含まない、請求項２に記載の医療ブレース。
【請求項４】
前記医療ブレースが、前記レーシングシステムを締め付けることによって引き合うように構成された第１の側部と第２の側部とを含み、前記第１のリール及び第２のリールが、前記医療ブレースの前記第１の側部に配置され、前記複数のレースガイドが、前記医療ブレースの前記第２の側部に配置された、請求項２に記載の医療ブレース。